(57)【特許請求の範囲】
【請求項１】
車室内における第１のオーディオ信号の音量を調整する第１の音量調整部と、
車室内における第２のオーディオ信号の音量を調整する第２の音量調整部と、
前記第１のオーディオ信号及び前記第２のオーディオ信号を増幅するとともに、直流オフセットを検出した場合に直流オフセット検出信号を送信する増幅部と、
前記第１の音量調整部によって調整された前記第１のオーディオ信号の第１オーディオレベル及び前記第２の音量調整部によって調整された前記第２のオーディオ信号の第２オーディオレベルをそれぞれ検出する検出部と、
前記検出部によって検出された前記第１オーディオレベル及び前記第２オーディオレベルを監視し、前記直流オフセット検出信号を受信した場合に、前記第１オーディオレベル及び前記第２オーディオレベルに応じて前記増幅部の駆動状態を変化させる制御部と、を備える音声出力装置であって、
前記制御部は、拡張用装置の接続を検出した場合に、前記第１の音量調整部によって調整された前記第１のオーディオ信号を前記拡張用装置経由に切替え、前記第２の音量調整部によって調整された前記第２のオーディオ信号の前記増幅部への入力を停止させ、前記検出部による前記第１オーディオレベルの検出を停止させ、操作に基づいて調整された前記拡張用装置に設定するための設定値に比例した減衰値を前記第２の音量調整部に設定することを特徴とする音声出力装置。
【請求項２】
前記制御部は、前記オーディオレベルが閾値以下である場合に、前記増幅部の電源を落とすことを特徴とする請求項１に記載の音声出力装置。
【請求項３】
コンピュータを、
車室内における第１のオーディオ信号の音量を調整する第１の音量調整部と、
車室内における第２のオーディオ信号の音量を調整する第２の音量調整部と、
前記第１のオーディオ信号及び前記第２のオーディオ信号を増幅するとともに、直流オフセットを検出した場合に直流オフセット検出信号を送信する増幅部と、
前記第１の音量調整部によって調整された前記第１のオーディオ信号の第１オーディオレベル及び前記第２の音量調整部によって調整された前記第２のオーディオ信号の第２オーディオレベルをそれぞれ検出する検出部と、
前記検出部によって検出された前記第１オーディオレベル及び前記第２オーディオレベルを監視し、前記直流オフセット検出信号を受信した場合に、前記第１オーディオレベル及び前記第２オーディオレベルに応じて前記増幅部の駆動状態を変化させる制御部として機能させ、
前記制御部は、拡張用装置の接続を検出した場合に、前記第１の音量調整部によって調整された前記第１のオーディオ信号を前記拡張用装置経由に切替え、前記第２の音量調整部によって調整された前記第２のオーディオ信号の前記増幅部への入力を停止させ、前記検出部による前記第１オーディオレベルの検出を停止させ、操作に基づいて調整された前記拡張用装置に設定するための設定値に比例した減衰値を前記第２の音量調整部に設定することを特徴とする音声出力プログラム。
【請求項４】
車室内における第１のオーディオ信号の音量を第１の音量調整部が調整し、
車室内における第２のオーディオ信号の音量を第２の音量調整部が調整し、
前記第１のオーディオ信号及び前記第２のオーディオ信号を増幅部が増幅し、
前記増幅部が直流オフセットを検出した場合に直流オフセット検出信号を前記増幅部が送信し、
調整された前記第１のオーディオ信号の第１オーディオレベル及び調整された前記第２のオーディオ信号の第２オーディオレベルをそれぞれ検出部が検出し、
検出された前記第１オーディオレベル及び前記第２オーディオレベルを制御部が監視し、
前記制御部が前記直流オフセット検出信号を受信した場合に、前記第１オーディオレベル及び前記第２オーディオレベルに応じて前記増幅部の駆動状態を前記制御部が変化させ、
前記制御部が拡張用装置の接続を検出した場合に、調整された前記第１のオーディオ信号を前記拡張用装置経由に前記制御部が切替え、
調整された前記第２のオーディオ信号の前記増幅部への入力を前記制御部が停止させ、
前記第１オーディオレベルの検出を前記制御部が停止させ、
操作に基づいて調整された前記拡張用装置に設定するための設定値に比例した減衰値を前記第２の音量調整部に前記制御部が設定することを特徴とする音声出力方法。
【発明の詳細な説明】
【技術分野】
【０００１】
本発明は、音声出力技術に関し、特に、音声出力装置に内蔵される増幅部の誤作動抑制技術に関する。
【背景技術】
【０００２】
オーディオ技術の分野では、スピーカーの損傷を抑えるための種々の研究が行われている。例えば、特許文献１に開示されるＢＴＬ増幅装置は、増幅部分の直流オフセット信号を検出し、この検出結果を利用して、スピーカーのボイスコイルの損傷等を防止している。
【０００３】
また、このような直流オフセット信号の検出誤認を防ぐ技術も知られている。図６は当該技術を備えるカーオーディオ用の制御装置（以下、音声出力装置という。）３００の要部構成を示す機能ブロック図である。同図によれば、フロント（運手席側、助手席側）用及びリア（後部座席側）用のオーディオ信号のレベル（以下、オーディオレベルという。）をＣＰＵ等の制御部３３０で監視し、直流オフセット検出信号が検出された場合に、オーディオレベルに応じて直流オフセット検出信号の検出に誤りがあるか否かを判断している。
【０００４】
【特許文献１】特開２０００−１７４５７１号公報
【発明の開示】
【発明が解決しようとする課題】
【０００５】
ところで、上述したＢＴＬ増幅装置や音声出力装置３００等に、オーディオ機能等を高めるための拡張用装置が接続されることがある。図７は拡張用装置４００が接続された場合の音声出力装置３００の要部構成を示す機能ブロック図である。拡張用装置４００が音声出力装置３００に接続されると、図７に示すように、第１端子ａに接続されていたスイッチＳＷ４が第２端子ｂに接続され、閉じていたスイッチＳＷ５が開き、利用者から操作手段を介してフロント用ボリューム３１１に設定されていた設定値が固定値に設定し直されるため、増幅部３２０は、音量調整部３１０をから送信され、拡張用装置４００を経由したオーディオ信号を受信する。
【０００６】
この場合、フロント用のオーディオ信号のオーディオレベルを制御部３３０で監視するも、オーディオレベルは固定値されているため、レベル検出部３１３で検出された直流オフセット検出信号との関係において、その検出誤認が発生する場合がある。また、特許文献１に開示されるように電子ボリュームと増幅部分との間に、コンデンサを形成して検出誤認を抑制することも考えられるが、部品点数が増えるため、製造コストや音声出力装置の小型化の観点から望ましくない。
【０００７】
本発明はこのような事情に鑑みてなされたものであり、音声出力装置に拡張用装置が接続された場合にも、直流オフセットの検出誤認が抑制される音声出力装置、音声出力プログラム及び音声出力方法を提供することを目的とする。
【課題を解決するための手段】
【０００８】
本発明は、車室内における第１のオーディオ信号の音量を調整する第１の音量調整部と、車室内における第２のオーディオ信号の音量を調整する第２の音量調整部と、第１のオーディオ信号及び第２のオーディオ信号を増幅するとともに、直流オフセットを検出した場合に直流オフセット検出信号を送信する増幅部と、第１の音量調整部によって調整された第１のオーディオ信号の第１オーディオレベル及び第２の音量調整部によって調整された第２のオーディオ信号の第２オーディオレベルをそれぞれ検出する検出部と、検出部によって検出された第１オーディオレベル及び第２オーディオレベルを監視し、直流オフセット検出信号を受信した場合に、第１オーディオレベル及び第２オーディオレベルに応じて増幅部の駆動状態を変化させる制御部と、を備える音声出力装置であって、制御部は、拡張用装置の接続を検出した場合に、第１の音量調整部によって調整された第１のオーディオ信号を拡張用装置経由に切替え、第２の音量調整部によって調整された第２のオーディオ信号の増幅部への入力を停止させ、検出部による第１オーディオレベルの検出を停止させ、操作に基づいて調整された拡張用装置に設定するための設定値に比例した減衰値を第２の音量調整部に設定することを特徴とする音声出力装置である。
この構成によれば、拡張用装置が音声出力装置に接続された場合に、オーディオレベルの監視が停止する。
【００１０】
上記発明において、前記制御部はオーディオレベルが閾値以下である場合に、増幅部の電源を落とす構成とすることができる。
この構成によれば、音声出力装置は、オーディオレベルが閾値以下である場合に、増幅部の電源を落とす。
【００１１】
また、本発明は、コンピュータを、車室内における第１のオーディオ信号の音量を調整する第１の音量調整部と、車室内における第２のオーディオ信号の音量を調整する第２の音量調整部と、第１のオーディオ信号及び第２のオーディオ信号を増幅するとともに、直流オフセットを検出した場合に直流オフセット検出信号を送信する増幅部と、第１の音量調整部によって調整された第１のオーディオ信号の第１オーディオレベル及び第２の音量調整部によって調整された第２のオーディオ信号の第２オーディオレベルをそれぞれ検出する検出部と、検出部によって検出された第１オーディオレベル及び第２オーディオレベルを監視し、直流オフセット検出信号を受信した場合に、第１オーディオレベル及び第２オーディオレベルに応じて増幅部の駆動状態を変化させる制御部として機能させ、制御部は、拡張用装置の接続を検出した場合に、第１の音量調整部によって調整された第１のオーディオ信号を拡張用装置経由に切替え、第２の音量調整部によって調整された第２のオーディオ信号の増幅部への入力を停止させ、検出部による第１オーディオレベルの検出を停止させ、操作に基づいて調整された拡張用装置に設定するための設定値に比例した減衰値を第２の音量調整部に設定することを特徴とする音声出力プログラムである。
この構成によれば、拡張用装置が音声出力装置に接続された場合に、オーディオレベルの監視が停止する。
【００１２】
また、本発明は、車室内における第１のオーディオ信号の音量を第１の音量調整部が調整し、車室内における第２のオーディオ信号の音量を第２の音量調整部が調整し、第１のオーディオ信号及び第２のオーディオ信号を増幅部が増幅し、増幅部が直流オフセットを検出した場合に直流オフセット検出信号を増幅部が送信し、調整された第１のオーディオ信号の第１オーディオレベル及び調整された第２のオーディオ信号の第２オーディオレベルをそれぞれ検出部が検出し、検出された第１オーディオレベル及び第２オーディオレベルを制御部が監視し、制御部が直流オフセット検出信号を受信した場合に、第１オーディオレベル及び第２オーディオレベルに応じて増幅部の駆動状態を制御部が変化させ、制御部が拡張用装置の接続を検出した場合に、調整された第１のオーディオ信号を拡張用装置経由に制御部が切替え、調整された第２のオーディオ信号の増幅部への入力を制御部が停止させ、第１オーディオレベルの検出を制御部が停止させ、操作に基づいて調整された拡張用装置に設定するための設定値に比例した減衰値を第２の音量調整部に制御部が設定することを特徴とする音声出力方法である。
この構成によれば、拡張用装置が音声出力装置に接続された場合に、オーディオレベルの監視が停止する。
【発明の効果】
【００１３】
本発明によれば、音声出力装置に拡張用装置が接続された場合にも、直流オフセットの検出誤認を抑制することができる。
【発明を実施するための最良の形態】
【００１４】
以下、本発明の実施形態について、図面を参照して具体的に説明する。
図１は本発明の実施形態に係る音声出力装置１００等の要部構成を示す機能ブロック図、図２は音声出力装置１００のハードウェア構成を示す機能ブロック図である。
【００１５】
まず、音声出力装置１００について説明する。
音声出力装置は、図１に示すように、音量調整部１１０、増幅部１２０、制御部１３０及び各種スイッチＳＷ１〜ＳＷ３等から構成される。音声出力装置１００としては、例えばカーオーディオ分野におけるヘッドユニット等がある。尚、音声出力装置の名称は特に限定されず例えばメインユニット、センターユニット等であってもよい。
【００１６】
音量調整部１１０は、例えば電子ボリューム等で構成され、ＣＤやラジオ等の音声に係るオーディオ信号のボリューム（音量）等を利用者からの操作に応じて調整する。カーオーディオ用の電子ボリュームであれば、図１に示すように、前部座席側用音量調整部としてのフロント用ボリューム１１１、後部座席側用音量調整部としてのリア用ボリューム１１２等で構成される。これにより、車室内の前後のスピーカー音量を調整するフェダー調整が可能となる。
【００１７】
また、図１に示さないが、必要に応じて、サブウーファー出力を調整するサブウーファー調整機能、低音域の強弱を調整するバス（低音）調整機能、高音域の強弱を調整するトレブル（高音）調整機能、左右のスピーカー音量を調整するバランス調整機能を構成することが望ましい。ボリュームや上述したこれらの機能が利用者から操作されて設定されると、その設定値が制御部１３０によってフロント用ボリューム１１１やリア用ボリューム１１２等に設定される。
【００１８】
さらに、音量調整部１１０は、レベル検出部１１３及びスイッチＳＷ３を備える。尚、これらは音声出力装置１００内であれば、音量調整部１１０内の設置に限定されるものではない。
【００１９】
レベル検出部１１３は、フロント用ボリューム１１１やリア用ボリューム１１２で調整されたオーディオ信号のオーディオレベルを検出し、これらのオーディオレベルをオーディオレベル検出信号として制御部１３０に出力する。
【００２０】
スイッチＳＷ３は、オーディオレベルの検出とその検出の停止とを切替えるスイッチである。スイッチＳＷ３は、制御部１３０によって切替動作が制御され、後述する拡張用装置２００が接続された場合に、スイッチＳＷ３がオフになり、レベル検出部１１３はオーディオレベルの検出を停止する。尚、フロント用だけでなく、リア用のオーディオレベルの検出とその検出の停止とを切替えるスイッチを音量調整部１１０内に構成してもよいが、部品点数削減の観点からフロント用だけであるほうが望ましい。
【００２１】
増幅部１２０は、例えばパワーアンプ等で構成され、オーディオ信号を増幅する。増幅されたオーディオ信号はスピーカー２５０から出力される。また、増幅部１２０は、図示しない電圧検出回路を備え、正極と負極との直流電圧（ＤＣ電圧）の電圧差を検出し、電圧差が所定値以上となる場合に、直流オフセットが発生したと判断し、直流オフセット検出信号を制御部１３０に出力する。
【００２２】
スイッチＳＷ１は、第１端子ａへの接続又は第２端子ｂへの接続に切替える切替スイッチである。スイッチＳＷ１は、制御部１３０によって切替動作が制御され、スイッチＳＷ１が第１端子ａと接続された場合、フロント用のオーディオ信号を増幅部１２０に直接送信する。スイッチＳＷ１が第２端子ｂと接続された場合、フロント用のオーディオ信号を拡張用装置２００を経由して増幅部１２０に送信する。
【００２３】
スイッチＳＷ２は、リア用のオーディオ信号の送信とその送信の停止とを切替えるスイッチである。スイッチＳＷ２は、制御部１３０によって切替動作が制御され、後述する拡張用装置２００が接続された場合に、スイッチＳＷ２がオフになり、増幅部１２０へのリア用のオーディオ信号の送信が停止する。
【００２４】
尚、スイッチＳＷ１及びスイッチＳＷ２は、図１において、音量調整部１１０と増幅部１２０との間に形成されているが、例えば、スイッチＳＷ１を切替スイッチに代えて、スイッチＳＷ２のようなオン／オフを切り替えるスイッチとし、これをスイッチＳＷ２の切替動作と連動させ、一方で、拡張用装置２００から増幅部１２０に送信される途中にオン／オフを切り替えるスイッチを形成し、拡張用装置２００が接続された場合に当該スイッチをオンにするようにしてもよい。
【００２５】
制御部１３０は、例えば図２に示すように、ＣＰＵ１３０ａ等の処理装置、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ１３０ｂ、フラッシュメモリ等のＲＯＭ(Read Only Memory)１３０ｃ、音量調整部１１０や増幅部１２０等の外部機器との入出力を行うＩ／Ｆ（インターフェース）１３０ｄ等がバス１３０ｅにより接続されたハードウェア構成により実現される。
【００２６】
したがって、ＣＰＵ１３０ａがＲＯＭ１３０ｃ等に格納された所要のプログラムを読み込み、当該プログラムに従った演算を行うことにより、コンピュータとしての音声出力装置内の各機能が実現される。尚、このようなプログラムとしては後述するフローチャートに応じたプログラムとすることができる。また、後述する音声制御部２２０や制御部２３０についても同様の構成を有する。
【００２７】
次に、拡張用装置２００について図１を参照して説明する。
拡張用装置２００は、同図に示すように、フロント用ボリューム２１１、リア用ボリューム２１２、音声制御部２２０、制御部２３０等から構成される。拡張用装置２００としては、ＡＶ（Audio Visual）機能を高めるように映像や音声等のマルチメディア情報を統括的に管理する機材等がある。
【００２８】
フロント用ボリューム２１１及びリア用ボリューム２１２は、上述したフロント用ボリューム１１１及びリア用ボリューム１１２と同様の構成を有する。拡張用装置２００が音声出力装置１００に接続された場合、音声出力装置１００内のフロント用ボリューム１１１及びリア用ボリューム１１２のそれぞれにセットされた設定値が後述する拡張用装置２００の制御部２３０に送信され、当該制御部２３０によってフロント用ボリューム２１１及びリア用ボリューム２１２にこれらの設定値がセットされる。
【００２９】
音声制御部２２０は、例えばＤＳＰ（Digital Signal Processor）等で構成される。音声制御部２２０には、音声出力装置１００内の制御部１３０から拡張用装置２００内の制御部２３０に送信されるＤＳＰ用の設定値がセットされる。当該設定値は車室内の音響環境を最も適したものにするための設定値である。音声制御部２２０は音声出力装置１００からのフロント用のオーディオ信号を受信すると、セットされた設定値や所要のプログラムに基づきオーディオ信号を補正や調整等し、フロント用ボリューム２１１及びリア用ボリューム２１２に送信する。
【００３０】
制御部２３０は、上述したフロント用ボリューム２１１、リア用ボリューム２１２及び音声制御部２２０等を統括的に制御する。
【００３１】
続いて、音声出力装置１００の制御部１３０の動作について、図３及び図４等を参照して説明する。
図３は制御部１３０の動作の一例を示すフローチャート、図４は拡張用装置２００が接続されていない音声出力装置１００の要部構成を示す機能ブロック図である。尚、図４において、図１に示される音声出力装置１００の各部と同様の構成には同一符号を付し、その説明を省略する。
【００３２】
制御部１３０は、図３に示すように、まず、拡張用装置２００が接続されたか否かを判断する（ステップＳ１）。ここで、制御部１３０は拡張用装置２００が接続されていないと判断した場合には、制御部１３０は、図４に示すように、スイッチＳＷ１を第１端子ａと接続されるように切替え（ステップＳ２）、スイッチＳＷ２をオンにするように切替え（ステップＳ３）、スイッチＳＷ３をオンにするように切替える（ステップＳ４）。
【００３３】
制御部１３０は、次いで、フロント用ボリューム１１１及びリア用ボリューム１１２に、利用者によって調整されたボリューム等に応じた設定値をセットする（ステップＳ５、ステップＳ６）。これにより、増幅部１２０は、音量調整部１１０で調整されたフロント用及びリア用のオーディオ信号を直接受信し、また、レベル検出部１１３は、設定値に応じたフロント用及びリア用のオーディオ信号のオーディオレベルを検出し、制御部１３０によって監視される。
【００３４】
制御部１３０は、次いで、レベル検出部１１３のオーディオレベルを随時読み込み（ステップＳ７）、オーディオレベルが所定値以下であるか否かを判断する（ステップＳ８）。尚、当該所定値は、任意に設定できるが、例えば、増幅部１２０をシャットダウンする概ねのしきい値は、増幅部１２０の出力で４Ｖｐｐ、増幅部１２０のゲインを２６ｄＢ（２０倍）とすれば、４Ｖｐｐ／２０＝２００ｍＶｐｐとなる。制御部１３０は、オーディオレベルが所定値より大きいと判断した場合には、ステップＳ７に戻る。したがって、制御部１３０は、オーディオレベルが一定の値を超え続けている間、ステップＳ７及びステップＳ８の処理を繰り返す。
【００３５】
一方、制御部１３０は、ステップＳ８の処理において、オーディオレベルが所定値以下であると判断した場合には、増幅部１２０から出力される直流オフセット検出信号の読み込みを開始し（ステップＳ９）、直流オフセット検出信号があったか否かを判断する（ステップＳ１０）。そして、制御部１３０は、直流オフセット検出信号がないと判断した場合には、ステップＳ７の処理に戻る。
【００３６】
一方、制御部１３０は、ステップＳ１０の処理において、直流オフセット検出信号があったと判断した場合には、増幅部１２０の電源を落とすシャットダウン処理を行い（ステップＳ１１）、動作を終了する。このように、拡張用装置２００が接続されていない状態では、制御部１３０は、調整されたフロント用及びリア用のオーディオ信号のオーディオレベルと、増幅部１２０からの直流オフセット検出信号との関係に応じて、増幅部１２０の駆動状態を変化させる。尚、制御部１３０の直流オフセット検出信号の読み込みを、所定の時間間隔で行うようにし、例えば１０回連続で読み込めた場合に、増幅部１２０をシャットダウンさせるようにしてもよい。
【００３７】
ところで、制御部１３０は、上述したステップＳ１の処理において、拡張用装置２００が接続されたと判断した場合、図１に示すように、スイッチＳＷ１を第１端子ａから第２端子ｂに接続されるように切替え（ステップＳ１２）、スイッチＳＷ２をオフにするように切替え（ステップＳ１３）、スイッチＳＷ３をオフにするように切替える（ステップＳ１４）。
【００３８】
制御部１３０は、次いで、フロント用ボリューム１１１に固定値をセットする（ステップＳ１５）。これにより、フロント用ボリューム１１１から出力されるオーディオ信号のオーディオレベルが固定される。制御部１３０は、次いで、利用者によって調整されたボリューム等の各種設定値及び音声制御部２２０用の設定値を拡張用装置２００に送信する（ステップＳ１６）。
【００３９】
制御部１３０は、次いで、拡張用装置２００のボリュームに比例した減衰値を受信し、これをリア用ボリューム１１２にセットする（ステップＳ１７）。これにより、リア用ボリューム１１２には、ボリュームとＤＳＰゲインとの相対値がセットされ、レベル検出部１１３は、増幅部１２０に入力されるオーディオ信号のオーディオレベルを擬似的に検出でき、制御部１３０はこのオーディオレベルを監視できる。このような状態で、制御部１３０は、直流オフセット検出信号受信時にオーディオレベルが所定値以下であれば（ステップＳ７〜ステップＳ１０）、増幅部１２０のシャットダウン処理を行う（ステップＳ１１）。
【００４０】
次に、拡張用装置２００の制御部２３０の動作について、図５を参照して説明する。
図５は制御部２３０の動作の一例を示すフローチャートである。
制御部２３０は、図５に示すように、まず、フロント用ボリューム２１１及びリア用ボリューム２１２の設定値及び音声制御部２２０の設定値を音声出力装置１００から受信し、これらをそれぞれフロント用ボリューム２１１、リア用ボリューム２１２及び音声制御部２２０にセットする（ステップＳ２１）。
【００４１】
制御部２３０は、次いで、音声出力装置１００にボリュームレベルに比例した減衰値を送信する（ステップＳ２２）。このように、音声出力装置１００が単体で使用された場合、音声出力装置１００に拡張用装置２００が接続された場合のいずれにしても、精度の高いオフセットの検出が可能となる。
【００４２】
なお、本発明は、上述した実施形態に限定されるものではなく、その要旨を逸脱しない範囲内で種々変形して実施することが可能である。本発明のプログラムを通信手段により提供することはもちろん、ＣＤ−ＲＯＭ等の記録媒体に格納して提供することも可能である。
【産業上の利用可能性】
【００４３】
以上説明したように、本発明の音声出力装置によれば、拡張用装置が接続された場合にも、直流オフセットの検出誤認を抑制することができ、産業上の利用可能性が高い。
【図面の簡単な説明】
【００４４】
【図１】音声出力装置の要部構成を示す機能ブロック図である。
【図２】音声出力装置のハードウェア構成を示す機能ブロック図である。
【図３】音声出力装置の制御部の動作の一例を示すフローチャートである。
【図４】音声出力装置の要部構成を示す他の機能ブロック図である。
【図５】拡張用装置の制御部の動作の一例を示すフローチャートである。
【図６】従来の音声出力装置の要部構成を示す機能ブロック図である。
【図７】従来の音声出力装置の要部構成を示す他の機能ブロック図である。
【符号の説明】
【００４５】
１００、３００  音声出力装置
１１０、３１０  音量調整部
１１１、３１１  フロント用ボリューム
１１２、３１２  リア用ボリューム
１１３、３１３  レベル検出部
１２０、３２０  増幅部
１３０、３３０  制御部
１３０ａ  ＣＰＵ
１３０ｂ  ＲＡＭ
１３０ｃ  ＲＯＭ
１３０ｄ  Ｉ／Ｆ
１３０ｅ  バス
２００、４００  拡張用装置
２１１、４１１  フロント用ボリューム
２１２、４１２  リア用ボリューム
２２０、４２０  音声制御部
２３０、４３０  制御部
２５０、４５０  スピーカー
ａ  第１端子
ｂ  第２端子
ＳＷ１、ＳＷ２、ＳＷ３、ＳＷ４、ＳＷ５  スイッチ
【図１】
0005046821.tif 000002
【図２】
0005046821.tif 000003
【図３】
0005046821.tif 000004
【図４】
0005046821.tif 000005
【図５】
0005046821.tif 000006
【図６】
0005046821.tif 000007
【図７】
0005046821.tif 000008